【手続補正書】
【提出日】平成18年12月13日(2006.12.13)
【手続補正１】
【補正対象書類名】明細書
【補正対象項目名】特許請求の範囲
【補正方法】変更
【補正の内容】
【特許請求の範囲】
【請求項１】  電気通信プラットホーム装置であって、
プラットホーム処理機能を共同して実行し、インターネットプロトコル（ＩＰ）処理能力を有し、かつそれぞれがＩＰインタフェースを有するプロセッサ群のクラスタと、
同一のＩＰアドレスを有する前記プロセッサ群によって前記クラスタを介して分割されるインターネットプロトコル（ＩＰ）ハンドラとを備え、該インターネットプロトコル（ＩＰ）ハンドラは任意の前記ＩＰインタフェース上の前記プラットホーム外から受信され、かつ同一のＩＰアドレスが割当られているＩＰフレーム群を、ＩＰソフトウェアアプリケーションを実行する前記プロセッサ群の内の正しい１つに送信する
ことを特徴とする電気通信プラットホーム装置。
【請求項２】  前記インターネットプロトコル（ＩＰ）ハンドラは、
前記クラスタの前記プロセッサ群の少なくとも１つによって制御されるルータと、
前記ＩＰインタフェース群と前記ルータとを相互に接続し、前記プラットホームが受信するＩＰフレーム群を、該ＩＰインタフェース群が該ＩＰフレーム群を受信するに関係なく前記ルータへ転送するインタフェース相互接続と、
ソケットを備え、該ソケットは、
前記ルータに接続され、該ルータを制御する前記クラスタの前記プロセッサ群の少なくとも１つによって制御されるアクティブソケット中央部と、
前記インターネット（ＩＰ）ソフトウェアアプリケーションを実行する前記クラスタの前記プロセッサ群の１つによって制御されるソケット分割部とを備え、
前記アクティグソケット中央部は、前記プラットホームが受信する前記ＩＰフレーム群が前記インターネットプロトコル（ＩＰ）ソフトウェアアプリケーションを実行する前記クラスタの前記プロセッサ群の１つに指定され、かつ該ＩＰフレーム群を前記ソケット分割部に送信することを判定し、前記インターネットプロトコル（ＩＰ）ソフトウェアアプリケーションは前記ソケット分割部から前記ＩＰフレーム群を受信する
ことを特徴とする請求項１に記載の装置。
【請求項３】  前記クラスタの前記プロセッサ群は、それぞれが第１タイプのＩＰインタフェースと接続され、前記プラットホームは、更に、前記ルータに接続される第２タイプのＩＰインタフェースを有する
ことを特徴とする請求項２に記載の装置。
【請求項４】  前記第１タイプのＩＰインタフェースはイーサネットインタフェースであり、前記第２タイプのＩＰインタフェースはＡＴＭインタフェースである
ことを特徴とする請求項３に記載の装置。
【請求項５】  前記インタフェース相互接続は、
前記ルータを制御する前記クラスタの前記プロセッサ群の少なくとも１つによって制御されるインタフェース相互接続中央部と、
前記インターネットプロトコル（ＩＰ）ソフトウェアアプリケーションを実行する前記クラスタの前記プロセッサ群の１つによって制御されるインタフェース相互接続分割部と
を備えることを特徴とする請求項２に記載の装置。
【請求項６】  前記クラスタの別のプロセッサによって制御されるスタンバイルータと、
前記クラスタの前記別のプロセッサによって制御されるスタンバイソケット中央部とを更に備え、
所定イベントの発生において、前記スタンバイ状態のルータは前記ルータの機能を働かせ、かつ前記スタンバイソケット部は前記アクティブソケット中央部となる
ことを特徴とする請求項２に記載の装置。
【請求項７】  前記所定イベントは、前記ルータを制御する前記クラスタの前記プロセッサ群の少なくとも１つの故障である
ことを特徴とする請求項６に記載の装置。
【請求項８】  電気通信プラットホームを処理する方法であって、
プラットホーム処理機能を共同して実行するプロセッサ群のクラスタを使用し、
インターネットプロトコル（ＩＰ）処理能力及びそれぞれがＩＰインタフェースを有する前記クラスタのプロセッサ群を提供し、
前記クラスタのプロセッサ群のそれぞれに対して同一のＩＰアドレスを使用し、
任意の前記ＩＰインタフェース上の前記プラットホーム外から受信され、かつ前記同一のＩＰアドレスが割当られているＩＰフレーム群を、ＩＰソフトウェアアプリケーションを実行する前記プロセッサ群の内の正しい１つに送信する
ことを特徴とする方法。
【請求項９】  前記プラットホームが受信するＩＰフレーム群を、前記ＩＰインタフェース群が該ＩＰフレーム群を受信するに関係なく、前記クラスタの前記プロセッサ群の１つによって制御されるルータへ転送し、
前記ＩＰフレーム群をアクティブソケット中央部へ転送する前記ルータを使用し、
前記アクティグソケット中央部で、前記プラットホームが受信する前記ＩＰフレーム群が前記インターネットプロトコル（ＩＰ）ソフトウェアアプリケーションを実行する前記クラスタの前記プロセッサ群の１つに指定されることを判定し、
前記インターネットプロトコル（ＩＰ）ソフトウェアアプリケーションを実行する前記クラスタの前記プロセッサ群の１つによって制御されるソケット分割部へ前記ＩＰフレーム群を送信し、
前記インターネットプロトコル（ＩＰ）ソフトウェアアプリケーションで、前記ソケット分割部から前記ＩＰフレーム群を受信する
ことを特徴とする請求項８に記載の方法。
【請求項１０】  前記クラスタの前記プロセッサ群それぞれを第１タイプのＩＰインタフェースに接続し、
前記ルータを第２タイプのＩＰインタフェースへ接続する
ことを特徴とする請求項９に記載の方法。
【請求項１１】  前記第１タイプのＩＰインタフェースはイーサネットインタフェースであり、前記第２タイプのＩＰインタフェースはＡＴＭインタフェースである
ことを特徴とする請求項１０に記載の方法。
【請求項１２】  インタフェース相互接続分割部を介して、前記ルータを制御する同一のプロセッサによって制御されるインタフェース相互接続中央部へ任意の前記ＩＰインタフェースで受信されるＩＰフレーム群を転送し、
前記インターネットプロトコル（ＩＰ）ソフトウェアアプリケーションを実行する同一のプロセッサによって制御される前記インタフェース相互接続中央部から前記ＩＰフレーム群を前記ルータへ転送する
ことを特徴とする請求項９に記載の方法。
【請求項１３】  更に、所定状態の発生を検出し、
前記クラスタの他のプロセッサによって制御されるスタンバイルータをアクティブにし、
前記クラスタの前記他のプロセッサによって制御されるスタンバイソケット中央部をアクティブにし、
前記スタンバイルータは前記ルータの機能を働かせ、かつ前記スタンバイソケット中央部は前記アクティブソケット中央部となる
ことを特徴とする請求項９に記載の方法。
【請求項１４】  電気通信プラットホーム装置であって、
プラットホーム処理機能を共同して実行し、インターネットプロトコル（ＩＰ）処理能力を有し、かつそれぞれがＩＰインタフェースを有し、かつすべてが同一のＩＰアドレスを有するプロセッサ群のクラスタと、
前記クラスタのプロセッサ群のＩＰインタフェース群を交換可能にする、前記クラスタを介して分割されるインターネットプロトコル（ＩＰ）ハンドラと、これによって、前記クラスタに接続する前記ＩＰインタフェース群の１つを選択する場合には、前記クラスタの前記プロセッサ群の１つがアクセス対象のＩＰソフトウェアアプリケーションを制御するという情報は必要とされない
ことを特徴とする電気通信プラットホーム装置。
【請求項１５】  前記インターネットプロトコル（ＩＰ）ハンドラは、
前記クラスタのプロセッサ群の少なくとも１つによって制御されるルータと、
前記ＩＰインタフェース群と前記ルータとを相互に接続し、かつ前記ＩＰプラットホームが受信するＩＰフレーム群を、前記ＩＰインタフェース群が前記フレーム群を受信するに関係なく前記ルータへ転送するインタフェース相互接続と、
ソケットを備え、該ソケットは、
前記ルータに接続され、該ルータを制御する前記クラスタの前記プロセッサ群の少なくとも１つによって制御されるアクティブソケット中央部と、
前記インターネットプロトコル（ＩＰ）ソフトウェアアプリケーションを実行する前記クラスタの前記プロセッサ群の１つによって制御されるソケット分割部とを備え、
前記アクティグソケット中央部は、前記プラットホームが受信する前記ＩＰフレーム群が前記インターネットプロトコル（ＩＰ）ソフトウェアアプリケーションを実行する前記クラスタの前記プロセッサ群の１つに指定され、かつ該ＩＰフレーム群を前記ソケット分割部に送信することを判定し、前記インターネットプロトコル（ＩＰ）ソフトウェアアプリケーションは前記ソケット分割部から前記ＩＰフレーム群を受信する
ことを特徴とする請求項１４に記載の装置。
【請求項１６】  前記クラスタの前記プロセッサ群は、それぞれが第１タイプのＩＰインタフェースと接続され、前記プラットホームは、更に、前記ルータに接続される第２タイプのＩＰインタフェースを有する
ことを特徴とする請求項１５に記載の装置。
【請求項１７】  前記第１タイプのＩＰインタフェースはイーサネットインタフェースであり、前記第２タイプのＩＰインタフェースはＡＴＭインタフェースである
ことを特徴とする請求項１６に記載の装置。
【請求項１８】  前記インタフェース相互接続は、
前記ルータを制御する前記クラスタの前記プロセッサ群の少なくとも１つによって制御されるインタフェース相互接続中央部と、
前記インターネットプロトコル（ＩＰ）ソフトウェアアプリケーションを実行する前記クラスタの前記プロセッサ群の１つによって制御されるインタフェース相互接続分割部と
を備えることを特徴とする請求項１５に記載の装置。
【請求項１９】  前記クラスタの別のプロセッサによって制御されるスタンバイルータと、
前記クラスタの前記別のプロセッサによって制御されるスタンバイソケット中央部とを更に備え、
所定イベントの発生において、前記スタンバイルータは前記ルータの機能を働かせ、かつ前記スタンバイソケット中央部は前記アクティブソケット中央部となる
ことを特徴とする請求項１５に記載の装置。
【請求項２０】  前記所定イベントは、前記ルータを制御する前記クラスタの前記プロセッサ群の少なくとも１つの故障である
ことを特徴とする請求項１９に記載の装置。